【手続補正書】
【提出日】平成24年11月30日(2012.11.30)
【手続補正１】
【補正対象書類名】特許請求の範囲
【補正対象項目名】全文
【補正方法】変更
【補正の内容】
【特許請求の範囲】
【請求項１】
クロストークの減衰を改善するジャックであって、
１つの筐体と、
少なくとも部分的に前記筐体を覆う１枚のホイルと、
１枚のプリント回路基板と、
第１および第２の圧接接点であって、前記第１の圧接接点は前記第２の圧接接点よりも前記ホイルの近くに配置され、前記第１および第２の圧接接点が第１の差動信号に関連付けられている圧接接点と、
前記プリント回路基板の端部に近づけてかつ前記ホイルに近づけてルーティングされ、前記第２の圧接接点に電気的に接続される第１の導電性トレーススタブであって、当該第１の導電性トレーススタブが、前記第１の差動信号に対し、少なくとも部分的に前記第１の圧接接点から前記ホイルへのカップリングが、前記第２の圧接接点から前記ホイルへのカップリングとともに、平衡するよう構成された第１の導電性トレーススタブと、
を備えたジャック。
【請求項２】
前記第１の圧接接点に関連付けられた第１のビアと、前記第２の圧接接点に関連付けられた第２のビアとを、さらに備え、前記第１の導電性スタブも、前記第１の差動信号に対し、少なくとも部分的に前記第１のビアから前記ホイルへのカップリングが、前記第２のビアから前記ホイルへのカップリングとともに、平衡するよう構成された、請求項１に記載のクロストーク減衰を改善するジャック。
【請求項３】
スレッドをさらに備えた、請求項２に記載のクロストーク減衰を改善するジャック。
【請求項４】
ワイヤーキャップをさらに備えた、請求項３に記載のクロストーク減衰を改善するジャック。
【請求項５】
プラグ接続接点をさらに備えた、請求項４に記載のクロストーク減衰を改善するジャック。
【請求項６】
前記第１の差動信号に関連付けられた前記プリント回路基板上に信号トレースをさらに備え、前記トレースの一部が、前記第１の差動信号に対し前記第１圧接接点から前記ホイルへのカップリングが、前記第２圧接接点から前記ホイルへのカップリングとともに、平衡するのを補助するように、前記プリント回路基板の端部の近くにかつ前記ホイルに近づけて配置された、請求項１に記載のクロストーク減衰を改善するジャック。
【請求項７】
前記第１の差動信号に関連付けられた前記プリント回路基板上に信号トレースをさらに備え、前記トレースの一部が、前記第１の差動信号に対し、前記第１の圧接接点および第１のビアから前記ホイルへのカップリングが、前記第２の圧接接点および第２のビアから前記ホイルへのカップリングとともに平衡するのを補助するように前記プリント回路基板の端部の近くにかつ前記ホイルに近づけて配置された、請求項２に記載のクロストーク減衰を改善するジャック。
【請求項８】
第３および第４の圧接接点であって、第２の差動信号に関連付けられ、前記第３の圧接接点が前記第４の圧接接点よりも前記ホイルに近く配置されている第３および第４の圧接接点と、
前記プリント回路基板の端部の近くにかつ前記ホイルに近づけてルーティングされており、さらに、前記第２の差動信号に対して少なくとも部分的に前記第３の圧接接点から前記ホイルへの前記カップリングが、前記第４の圧接接点から前記ホイルへの前記カップリングが平衡するよう構成された第２の導電性トレーススタブと、
をさらに備えた、請求項１に記載のクロストーク減衰を改善するジャック。
【請求項９】
前記第３の圧接接点に関連付けられた第３のビアと前記第４の圧接接点に関連付けられた第４のビアとをさらに備え、前記導電性スタブは、前記第２の差動信号に対し、少なくとも部分的に前記第３のビアから前記ホイルへの前記カップリングが、前記第４のビアから前記ホイルへの前記カップリングとともに平衡するよう構成された、請求項８に記載のクロストーク減衰を改善するジャック。
【請求項１０】
スレッドをさらに備えた、請求項８に記載のクロストーク減衰を改善するジャック。
【請求項１１】
ワイヤーキャップをさらに備えた、請求項１０に記載のクロストーク減衰を改善するジャック。
【請求項１２】
プラグ接触接点をさらに備えた、請求項１１に記載のクロストーク減衰を改善するジャック。
【請求項１３】
前記第２の差動信号に関連付けられた前記プリント回路基板上に信号トレースをさらに備え、前記第３の圧接接点から前記ホイルへのカップリングが、前記第４の圧接接点と前記ホイルのカップリングとともに平衡するのを補助するように前記トレースの一部が前記プリント基板の端部の近くにかつ前記ホイルに近づけて配置されている、請求項８のクロストーク減衰を改善するジャック。
【請求項１４】
前記第２の差動信号対に関連付けられた前記プリント回路基板上に信号トレースをさらに備え、前記第３の圧接接点および第３のビアから前記ホイルへのカップリングが、前記第４の圧接接点および第４のビアから前記ホイルへのカップリングとともに平衡するのを補助するように、前記トレースの一部が前記プリント回路基板の端部の近くにかつ前記ホイルに近づけて配置されている、請求項９に記載のクロストーク減衰を改善するジャック。
【手続補正２】
【補正対象書類名】明細書
【補正対象項目名】０００３
【補正方法】変更
【補正の内容】
【０００３】
【図１Ａ】本発明のホイルシールド付きジャックの一実施形態の斜視図である。
【図１Ｂ】同じく、本発明のホイルシールド付きジャックの一実施形態の斜視図である。
【図２Ａ】本発明のホイルシールド付きジャックの別の実施形態の斜視図である。
【図２Ｂ】同じく、本発明のホイルシールド付きジャックの別の実施形態の斜視図である。
【図３】図１Ａ及び図１Ｂの線３−３での断面の断面図で、本発明の接着ホイル素材の積み重ねを示した図である。
【図４】ジャックの差動クロストークに変換して戻す近くのジャックのジャックホイルシールドに沿ったコモンモード伝播により生じるエイリアンクロストークを示す概略図である。
【図５】本発明の通信システムの一実施形態の部分斜視図である。
【図６Ａ】本発明のモジュラージャックの一実施形態の分解斜視図である。
【図６Ｂ】同じく、本発明のモジュラージャックの一実施形態の分解斜視図である。
【図７Ａ】図６Ａ及び図６Ｂのジャックのいくつかの態様の斜視図である。
【図７Ｂ】同じく、図６Ａ及び図６Ｂのジャックのいくつかの態様の斜視図である。
【図８】図６Ａ及び図６Ｂのジャックのプラグ接続接点の斜視図である。
【図９】図６Ａ及び図６Ｂのジャックの複数層柔軟回路基板の透視斜視図である。
【図１０】図９の柔軟回路基板の回路図である。
【図１１】図６Ａ及び図６Ｂのジャックの複数層硬質回路基板についての透視斜視図である。
【図１２】図１１の硬質回路基板の回路図である。
【図１３】分割ホイルの使用を通じたジャックホイルシールドに沿ったコモンモード伝播を防ぐことによる本発明に従ったエイリアンクロストークの減少方法についての概略図である。
【図１４】本発明のホイルシールド付きジャックで、ホイルシールドがつながっているが金属化層に隙間がある別の実施形態の分解斜視図である。
【図１５】本発明のホイルシールド付きジャックで、ホイルシールドがつながっているが金属化層が下部および片側のみにある別の実施形態の分解斜視図である。
【図１６】本発明のホイルシールド付きジャックで、ホイルシールドがつながっているが金属層があるホイルの選択的領域がある別の実施形態の分解斜視図である。
【図１７】本発明のホイルシールド付きジャックで、ホイルシールドが連続した金属化部分でつながっているがホイルには片側と上部分のみが含まれる別の実施形態の分解斜視図である。
【手続補正３】
【補正対象書類名】明細書
【補正対象項目名】０００９
【補正方法】変更
【補正の内容】
【０００９】
１つの領域内にたくさんのジャックが集まっている配線盤やコンセントでは、隣り合うジャック間のエイリアンクロストークが高レベルで起こる可能性がある。以前のこの概念に関する理解は、このカップリングは主に、隣り合う金属線や近接するプラグとジャックのブレードが近いこと、および特に互いに近接して走る平行部分により生じる誘導差動カップリングによるものであるとされていた。図１および図２のホイルラベルの設計はこの問題に対処する。図１では、ジャックアセンブリ２０にはジャック２２と接着により取り付けられたホイルラベルまたはシールド２４とを含む。例えば、ジャック２２はＣＡＲ６Ａジャック設計にすることができる。または、ＣＡＴ６、ＣＡＴ７、またはその他のジャックも使用できる。図２はジャック２２と接着により取り付けられたホイルラベル２８と、そこから伸張する側面２９を含むジャックアセンブリ２６の図解である。これらのホイルラベル２４、２８は主に隣り合うジャック間で生じるエイリアンクロストークの量を減らすために使用される。隣り合わないジャックからのカップリングレベルは、相対的に離れているため既に非常に低くなっているためである。図１および図２には示されていないが、ジャック２０、２６は一般に図６に示すワイヤーキャップや図６の他の要素を含むことができる。ホイルラベルは金属製裏張り１４、次に塗装層１２と保護コーティング１０付きの接着剤１８を図３に示すように含む。
【手続補正４】
【補正対象書類名】明細書
【補正対象項目名】００１０
【補正方法】変更
【補正の内容】
【００１０】
しかしながら、高レベルの同相雑音を伴うチャネル環境では、ホイルシールドによりコモンモード電流が、図４の矢印Ａで示すように隣り合うジャック２７へ、および近接ジャックを超えて流れるように、電気的接続（近接ジャックへの容量性カップリングを伴うジャック周囲に導電経路を備えた）がもたらされることが観察された。これは、隣り合わないジャック間に著しいエイリアンクロストークを生じさせ、隣り合うジャック間のエイリアンクロストークの量をさらに増加させる。一部のジャックが、それぞれに図１および図２に従ってホイルシールドを含んでおり、互いに隣り合っている場合、隣り合う導電性ホイル２９間の非常に大きな容量性カップリングによりコモンモード電流がジャック間を伝わる損失経路は非常に低くなり、本発明の少なくとも１つの実施形態はこの問題に対処する。図４の例において、容量性カップリング３１は、隣り合うホイルが近接して接近しており、重なり合う表面積が大きいことに起因して、隣り合うホイル２９間で発生する。これは、約１００ＭＨｚから５００ＭＨｚの間の周波数に対する減衰が低いコモンモード伝送を可能とする。コモンモード電流Ｉは、矢印Ｂで示すように形成される。図４に示すように、ジャック２７間の空間は、明確性のために拡大されており、ホイル２９は、図示の目的でジャック筐体から離間して示されている。ジャック内のコモンモード信号は、ＡＮＥＸＴおよび／またはＡＦＥＸＴとなる。
【手続補正５】
【補正対象書類名】明細書
【補正対象項目名】００１６
【補正方法】変更
【補正の内容】
【００１６】
クロストーク補正コンポーネントは、ＰＩＣ５６と柔軟基板５４の両方に、図８、および図９〜図１０で示すようにそれぞれ含むことができる。図８は、第１から第８接点の順にあるＰＩＣ５６を示す。図８に示す領域は、（ａ）突出部において導体４および６間に容量性かつ誘導性カップリングを形成する領域８１（対３−６と対７−８との間の補償）、（ｂ）突出部において導体６および８間に容量性かつ誘導性カップリングを形成する領域８３（対３−６と対７−８との間の補償）、（ｃ）突出部において導体３および５間に容量性カップリングを形成する領域８５（対４−５と対３−６との間の補償）、および、（ｄ）突出部において導体１および３間に容量性および誘導性カップリングを形成する領域８７（対３−６と対１−２との間の補償）、を有する。突出部のうちプラグと接合する領域８９は、明確性のために削除されている。図９には、キャパシタを有する柔軟回路基板５４が示される。柔軟回路基板のうち突出部においてＰＩＣと接触する部分を符号９１で示し、接触領域１”〜８”は、図８に示すように、プラグ接続接点５６と接触する。特に図１１と図１２を参照すると、硬質基板４６もクロストーク補正コンポーネント（同じまたは反対の極性のプラグのクロストークコンポーネントのいずれか）を含む。これは特に図１２にＣ４５を除いて示されている。Ｃ４５は、前述のように対４−５のより高い周波数でのリターンロスマージンを、第２インピーダンス領域の相対的に高いインピーダンスを減らすことで改善する。この修正の結果、リターンロスはより低い周波数で相対的に悪くなるが、対象の周波数帯域での全体的なマージンは改善する。硬質基板４６には、やはり米国仮特許出願整理番号６１／０９０，４０３で説明する格子型の補償を含む。
【手続補正６】
【補正対象書類名】明細書
【補正対象項目名】００１８
【補正方法】変更
【補正の内容】
【００１８】
ホイルシールドに対する対を平衡させるための硬質基板での解決策の一実施形態を図１１に示す。図１１は、ホイルカバー７０の位置を符号Ｄで示す（図において符号Ｄ（７０）を付す）。この実施形態では、硬質基板４６には導電トレースの４つの層がある。ＩＤＣビアはＩＤＣを受け入れて保持する。ＩＤＣビアは図１１の基板上部に５’−４’−１’−２’、基板の下端に７’−８’−３’−６’の符号が付いており、各種層のトレースの一部に相互接続するめっきされたスルーホールもある。信号または雑音は、ホイルラベル７０に、特にＩＤＣビアおよびＩＤＣ５’、２’、６’、７’を通って比較的強くカップリングすることができる。対４−５では、例えば、ＩＤＣビア５’およびＩＤＣ５’はＩＤＣビア４’およびＩＤＣ４’よりも大幅にホイルラベル７０に近い。この対を平衡させるには、導電性トレーススタブ９０がホイル７０の近くの基板４６の端に近づけてルーティングされ、ＰＩＣビア４へ接続することによって、トレース４（ＰＩＣビア４とＩＤＣビア４’に相互接続する導電性トレース）に電気的に接続する。これによりスタブ９０は導体５およびホイルに対して導体４を平衡する。追加的に、および／または代替的に、トレース４は硬質基板４６の端に比較的近づけてルーティングし、ホイル７０へのカップリングを増加させることができる。示されている実施形態では、スタブ９０は幅０.００８インチ、長さ０.２２０インチで、２分の１オンスの銅（約０.０００７インチ厚）だが、他の厚さ、幅、および長さでもよい。図１１は、対応するプラグ接触接点を硬質基板４８に取り付けるビアを符号１〜８で示す。
【手続補正７】
【補正対象書類名】明細書
【補正対象項目名】００１９
【補正方法】変更
【補正の内容】
【００１９】
対１−２と同様、例えばＩＤＣビア２’およびＩＤＣ２’は、ＩＤＣビア１’およびＩＤＣ１’よりも大幅にホイル７０に近い。この対を平衡させるには、導電性トレーススタブ９２をホイル７０の近くの基板４６の端に近づけてルーティングし、トレース１（ＰＩＣビア１およびＩＤＣビア１’に相互接続する導電性トレース）にめっきされたスルーホールを通して接続する。スタブ９２はスタブ９０と同様である。ただし、硬質基板４６の広さに限界があることから、スタブ９２は幅０.００５インチ、長さ０.０７５インチ、１オンスの銅（約０.００１４インチ厚に０.００２〜０.００３５の厚さになるようめっきを追加して施す）であるが、他の厚さ、幅、長さでもよい。この比較的短い長さを補償するため、トレース１を基板の端に極めて近づけて（ホイル７０に一層近づけて）、さらに対１−２を平衡させ、めっきされたスルーホール９４で、ホイル７０に容量的にカップリングした大きな表面積を第３方向（基板の厚さ方向）に実現し、より強力なカップリングを導体１とホイル７０の間に与える。これにより、ホイル７０に対して対１−２が平衡となる。通常９６にあるめっきされていないスルーホールはＮＥＸＴ補償領域により近いトレース４とトレース５との間のキャパシタンスを減らし、よりよいインピーダンス整合によりリターンロスでの補正要素の効果を抑える。
【手続補正８】
【補正対象書類名】明細書
【補正対象項目名】００２０
【補正方法】変更
【補正の内容】
【００２０】
ホイルに対する対平衡の結果と、分割したホイルの使用方法を図１３に示す。隣り合うホイル７２および７４間の容量性カップリング１０１は、隙間７６により十分に減衰される。本発明は、ホイルに対する対平衡により、ホイル上の矢印Ｃ方向のコモンモード電流Ｉ’を低くし、分割したホイルが近接ジャックから近接ジャックへのコモンモード電流の伝播に対する低ロス経路をなくす。エイリアンクロストークマージンの全体的な改善は、本発明の改良により少なくとも４ｄＢとなることが示された。さらに、本発明は図１、２、６、および１４の対称的なホイル設計のそれぞれで有利に使うことができるが、図１および図２の設計はこの特性および分割したシールドの利点を持たない。図１４は、金属化部分に隙間１０５がある、連続した単一のホイル１０３を含む。
【手続補正９】
【補正対象書類名】明細書
【補正対象項目名】００２２
【補正方法】変更
【補正の内容】
【００２２】
図１５〜図１７の非対称ホイル設計は一般に図１１で示す平衡回路の、硬質基板４６の端に導電性シールドが少ないかまたは無い、より小さい平衡コンポーネントを置くなどの修正が必要である。つまり、より小さな平衡コンポーネントをいかなる導電性ホイルやシールドにも近接していない硬質基板の特定の部分に配置するということである。概念的に、各差動対は複数のホイル部分が、ホイルの各部分がジャックに対して平衡しているように、ホイルの各部分と平衡を達成する必要がある。図１５は、１つの側１０９にいかなる金属もない（ここで示す一実施形態は反対の側が金属化されるよう反転することができることに留意されたい）ホイルラベル１０７の一実施形態を示している。図１５の実施形態において、金属を有さない側１０９は、接着剤層、塗装層および保護層のみで構成されており、他側１１１には、金属製裏張りが設けられている。図１６は、金属化する領域１１５が部分的に選択されたホイルラベル１１３の一実施形態を示す。また、図１７はジャックの片側と上部または下部がホイルで覆われ、１つの側に何も覆いがないままの、Ｌ字型の金属化されたホイルであるホイルラベル１１７の一実施形態を示す。図１７で示した実施形態は反対側をホイルにし、図１７に示す側を取り除くよう修正することができることに留意されたい。
【手続補正１０】
【補正対象書類名】図面
【補正対象項目名】全図
【補正方法】変更
【補正の内容】
【図１Ａ】
2012510707.tif 000001
【図１Ｂ】
2012510707.tif 000002
【図２Ａ】
2012510707.tif 000003
【図２Ｂ】
2012510707.tif 000004
【図３】
2012510707.tif 000005
【図４】
2012510707.tif 000006
【図５】
2012510707.tif 000007
【図６Ａ】
2012510707.tif 000008
【図６Ｂ】
2012510707.tif 000009
【図７Ａ】
2012510707.tif 000010
【図７Ｂ】
2012510707.tif 000011
【図８】
2012510707.tif 000012
【図９】
2012510707.tif 000013
【図１０】
2012510707.tif 000014
【図１１】
2012510707.tif 000015
【図１２】
2012510707.tif 000016
【図１３】
2012510707.tif 000017
【図１４】
2012510707.tif 000018
【図１５】
2012510707.tif 000019
【図１６】
2012510707.tif 000020
【図１７】
2012510707.tif 000021